(57)【要約】      （修正有）【課題】多数のレジ袋を簡単にセットでき、レジ袋を１枚ずつ確実に取り出すことができるレジ袋ホルダーを提供する。【解決手段】レジ袋ホルダーＰは、ケーシング１の上部におけるレジ袋取出口１０の近傍に設けられたレジ袋掛止棒４と、２つ折りにしたレジ袋群９を、その折り曲げ部内側をレジ袋掛止棒４に掛止した状態で、２つ折りのレジ袋群９を押し込んでケーシング１の背面壁１１に押し付けるようにしたレジ袋押付手段とを備える。レジ袋掛止棒４に掛止された２つ折りのレジ袋群９における最外側のレジ袋９１を、レジ袋取出口１０を介して引き出すことによって、最外側のレジ袋９１がケーシングの外部に取り出されるように構成されている。【選択図】図２
2015217972.tif 000002
【特許請求の範囲】
【請求項１】
上部にレジ袋取出口が設けられたケーシングと、
前記ケーシングにおける前記レジ袋取出口の近傍に設けられ、かつ左右方向に沿って延びるように配置されるレジ袋掛止棒と、
重ね合わされた多数のレジ袋の一半部を残り半部の前側に対向させるように２つ折りにしたレジ袋群を、その折り曲げ部内側を前記レジ袋掛止棒に掛止した状態で、２つ折りのレジ袋群の一半部を後方に押し込むことにより、前記一半部と共に前記残り半部を前記ケーシングの背面壁に押し付けるようにしたレジ袋押付手段と、を備え、
前記レジ袋掛止棒に掛止された２つ折りのレジ袋群における最外側のレジ袋を、前記レジ袋取出口を介して引き出すことによって、最外側のレジ袋が前記ケーシングの外部に取り出されるように構成されていることを特徴とするレジ袋ホルダー。
【請求項２】
前記レジ袋押付手段は、ウエイト部材を備え、
前記ウエイト部材が、前記ケーシング内において後方に向けて斜め下向きに自重によりスライド移動するように設けられ、
前記ウエイト部材を自重によって２つ折りのレジ袋群に圧接させて、そのレジ袋群を前記ケーシングの背面壁に押し付けるように構成されている請求項１に記載のレジ袋ホルダー。
【請求項３】
前記ケーシングは両側壁を有し、
その両側壁における前側上部から後側下部に向けて斜め方向に延びるガイド用スリットがそれぞれ設けられ、
前記ウエイト部材の両端部が、前記ガイド用スリットにその長さ方向に沿ってスライド自在に挿入されている請求項２に記載のレジ袋ホルダー。
【請求項４】
前記ガイド用スリットにおける前側上部に位置する一端が開放される一方、
前記ケーシングは前面に開口部を有し、前記ケーシングにその前面開口部を開閉自在な前扉が設けられ、
前記前扉の裏面側における前記ガイド用スリットの一端開放部に対応して抜け止め片が設けられ、
前記前扉を閉じた際に前記抜け止め片によって前記ガイド用スリットの一端開放部が閉塞されるように構成されている請求項３に記載のレジ袋ホルダー。
【請求項５】
前記ケーシングの前面側に情報表示スペースが設けられている請求項１〜４のいずれか１項に記載のレジ袋ホルダー。
【請求項６】
前記ケーシングは底壁と両側壁とを有し、
前記ケーシングの底壁の両側端縁と、前記ケーシングの両側壁の下端縁との間に隙間が形成されている請求項１〜５のいずれか１項に記載のレジ袋ホルダー。
【請求項７】
前記ケーシングの底壁は、前記ケーシングにおける背面壁の下端から下方に延びるように設けられた下方延長部が、前方に曲げ起こされることによって形成されている請求項６に記載のレジ袋ホルダー。
【請求項８】
前記ケーシングは底壁を有し、
前記ケーシングの底壁は、その前部が後部よりも上方に配置されて、前記底壁の前部下方に干渉防止スペースが形成されている請求項１〜７のいずれか１項に記載のレジ袋ホルダー。
【発明の詳細な説明】
【技術分野】
【０００１】
この発明は、スーパーマーケット等で提供されるレジ袋を多数保持するためのレジ袋ホルダーに関する。
【背景技術】
【０００２】
スーパーマーケットやコンビニエンスストア等の小売店においては、商品持ち帰り用にポリオレフィン製の袋（ポリ袋）、いわゆるレジ袋が支給されるが、このレジ袋は使用後ほとんど廃棄されてしまうの現状である。このため近年では、レジ袋の大量消費によるゴミ量の増加や資源の浪費等が社会問題となっている。そこで、スーパーマーケット等においては、レジ袋の削減を図ることを目的として、レジ袋の有料化が普及しつつある。
【０００３】
レジ袋の有料化に際して、スーパーマーケット等においては、多数のレジ袋を保持したレジ袋ホルダーを例えばレジカウンター（キャッシャー）の手前等に設置しておき、そのレジ袋ホルダーから顧客（購買者）に必要な分だけ各自、レジ袋を取得してもらい、そのレジ袋を商品と共にレジカウンターに持ち込んで、そこで商品の代金と一緒にレジ袋の代金を支払うようにしたレジ袋セルフ取得システムが提案されている。
【０００４】
従来、このようなシステムに採用可能なレジ袋ホルダーとしては、特許文献１，２に示すものが周知である。このレジ袋ホルダーは、重ね合わされた多数のレジ袋を重ね合わせ方向に貫通する支持棒によって、各レジ袋が吊持されるように保持されており、重ね合わされた多数のレジ袋から１枚ずつレジ袋を取得するようにしている。
【先行技術文献】
【特許文献】
【０００５】
【特許文献１】特開２００１−１０６２４１号
【特許文献２】特開２００７−６９９５３号
【発明の開示】
【発明が解決しようとする課題】
【０００６】
しかしながら、各レジ袋は非常に薄く、さらに静電気等の影響によってレジ袋同士が付着しているため、上記特許文献１，２に示す従来のレジ袋ホルダーにおいては、重ね合わせた多数のレジ袋から、１枚ずつ正確にレジ袋を取り出すことは困難であり、必要枚数以上のレジ袋を不本意にも取り出してしまうという課題があった。そうすると、余分に取得したレジ袋を店員に返却したり、レジ袋を余計に購買してしまう等、購買者に不便をかけるおそれがある。
【０００７】
また重ね合わされた多数のレジ袋を、あらかじめ１枚ずつ分離させた状態で設置しておけば、レジ袋を１枚ずつ取得することは容易である。しかしながらその場合には、多数のレジ袋を１枚ずつ分離する作業が非常に面倒で準備作業を簡単に行えず、現実的な解決策とは言い難い。
【０００８】
この発明は、上記の課題に鑑みてなされたものであり、多数のレジ袋を簡単にセットできるとともに、レジ袋を１枚ずつ確実に取り出すことができるレジ袋ホルダーを提供することを目的とする。
【課題を解決するための手段】
【０００９】
上記目的を達成するため、本発明は以下の構成を要旨とするものである。
【００１０】
［１］上部にレジ袋取出口が設けられたケーシングと、
前記ケーシングにおける前記レジ袋取出口の近傍に設けられ、かつ左右方向に沿って延びるように配置されるレジ袋掛止棒と、
重ね合わされた多数のレジ袋の一半部を残り半部の前側に対向させるように２つ折りにしたレジ袋群を、その折り曲げ部内側を前記レジ袋掛止棒に掛止した状態で、２つ折りのレジ袋群の一半部を後方に押し込むことにより、前記一半部と共に前記残り半部を前記ケーシングの背面壁に押し付けるようにしたレジ袋押付手段と、を備え、
前記レジ袋掛止棒に掛止された２つ折りのレジ袋群における最外側のレジ袋を、前記レジ袋取出口を介して引き出すことによって、最外側のレジ袋が前記ケーシングの外部に取り出されるように構成されていることを特徴とするレジ袋ホルダー。
【００１１】
［２］前記レジ袋押付手段は、ウエイト部材を備え、
前記ウエイト部材が、前記ケーシング内において後方に向けて斜め下向きに自重によりスライド移動するように設けられ、
前記ウエイト部材を自重によって２つ折りのレジ袋群に圧接させて、そのレジ袋群を前記ケーシングの背面壁に押し付けるように構成されている前項１に記載のレジ袋ホルダー。
【００１２】
［３］前記ケーシングは両側壁を有し、
その両側壁における前側上部から後側下部に向けて斜め方向に延びるガイド用スリットがそれぞれ設けられ、
前記ウエイト部材の両端部が、前記ガイド用スリットにその長さ方向に沿ってスライド自在に挿入されている前項２に記載のレジ袋ホルダー。
【００１３】
［４］前記ガイド用スリットにおける前側上部に位置する一端が開放される一方、
前記ケーシングは前面に開口部を有し、前記ケーシングにその前面開口部を開閉自在な前扉が設けられ、
前記前扉の裏面側における前記ガイド用スリットの一端開放部に対応して抜け止め片が設けられ、
前記前扉を閉じた際に前記抜け止め片によって前記ガイド用スリットの一端開放部が閉塞されるように構成されている前項３に記載のレジ袋ホルダー。
【００１４】
［５］前記ケーシングの前面側に情報表示スペースが設けられている前項１〜４のいずれか１項に記載のレジ袋ホルダー。
【００１５】
［６］前記ケーシングは底壁と両側壁とを有し、
前記ケーシングの底壁の両側端縁と、前記ケーシングの両側壁の下端縁との間に隙間が形成されている前項１〜５のいずれか１項に記載のレジ袋ホルダー。
【００１６】
［７］前記ケーシングの底壁は、前記ケーシングにおける背面壁の下端から下方に延びるように設けられた下方延長部が、前方に曲げ起こされることによって形成されている前項６に記載のレジ袋ホルダー。
【００１７】
［８］前記ケーシングは底壁を有し、
前記ケーシングの底壁は、その前部が後部よりも上方に配置されて、前記底壁の前部下方に干渉防止スペースが形成されている前項１〜７のいずれか１項に記載のレジ袋ホルダー。
【発明の効果】
【００１８】
発明［１］のレジ袋ホルダーによれば、レジ袋押付手段によって２つ折りのレジ袋群をケーシングの背面壁に押し付けているため、レジ袋を取り出す際に各レジ袋に下向きの抵抗力が付与されることにより、最外側のレジ袋だけを他のレジ袋から確実に切り離して取り出すことができる。さらに２つ折りのレジ袋群をレジ袋掛止棒に掛止して、そのレジ袋群をレジ袋押付手段によって押し付けるだけで簡単に、多数のレジ袋をセットすることができる。
【００１９】
発明［２］［３］のレジ袋ホルダーによれば、スライド自在なウエイト部材を自重によってレジ袋群に押し付けるようにしているため、構造が簡素で動作信頼性も高くなり、故障等のトラブルの発生を有効に防止することができる。
【００２０】
発明［４］のレジ袋ホルダーによれば、ウエイト部材が不用意に脱落してしまう等の不具合を確実に防止でき、より一層利便性を向上させることができる。
【００２１】
発明［５］のレジ袋ホルダーによれば、広告等の情報も表示することができる。
【００２２】
発明［６］のレジ袋ホルダーによれば、底壁の両側端縁と、両側壁の下端縁との間に隙間を形成しているため、その隙間を介してケーシング内に入り込んだゴミや埃等の塵埃をケーシングの外部に掃き出すことができ、清掃作業を容易に行える。
【００２３】
発明［７］のレジ袋ホルダーによれば、底壁の両側端縁と、両側壁の下端縁とを一致させる必要がないため、高い寸法精度が要求されず、ケーシング、ひいてはレジ袋ホルダー自体の製作をより一層簡単に行うことができる。
【００２４】
発明［８］のレジ袋ホルダーによれば、上下方向に並べて配置した場合、上側のレジ袋ホルダーにおける底壁１３の前端部下側に、部位が存在しない干渉防止スペースが設けられるため、下側のレジ袋ホルダーからレジ袋を取り出す際に、手が上側のレジ袋ホルダーの底壁に干渉するようなことがなく、下側のレジ袋ホルダーからもレジ袋をスムーズに取り出すことができる。
【図面の簡単な説明】
【００２５】
【図１】図１はこの発明の実施形態であるレジ袋ホルダーを示す斜視図である。
【図２】図２は実施形態のレジホルダーを前扉を開いた状態で示す斜視図である。
【図３】図３は図１の分解斜視図である。
【図４】図４は実施形態のレジ袋ホルダーを示す正面図である。
【図５Ａ】図５Ａは実施形態のレジ袋ホルダーを示す側面図である。
【図５Ｂ】図５Ｂは実施形態のレジ袋ホルダーを示す側面断面図である。
【図５Ｃ】図５Ｃは実施形態のレジ袋ホルダーを前扉を開いた状態で示す側面断面図である。
【図６】図６は実施形態のレジ袋ホルダーをレジ袋スタンドに設置した状態を示す図であって、図（ａ）は正面図、図（ｂ）は断面図である。
【図７】図７は実施形態のレジ袋スタンドを示す正面図である。
【図８】図８はこの発明の変形例であるレジ袋ホルダーの前扉ロック機構を説明するための図である。
【発明を実施するための形態】
【００２６】
図１〜図５はこの発明の実施形態であるレジ袋ホルダーＰを示す図である。なお本明細書においては、発明の理解を容易にするため、図５Ａに向かって左側を「前側」「正面側」または「表面側」とし、右側を「後側」「背面側」または「裏面側」として説明する。
【００２７】
これらの図に示すように、本実施形態のレジ袋ホルダーＰは、鏡面仕上げされたスチール製のケーシング１を備えている。このケーシング１は、背面壁１１と、両側壁１２，１２と、底壁１３とを備え、前面から上面にかけての領域が外部に開放されている。本実施形態において、両側壁１２，１２は、背面壁１１の両側縁部から側方に延長形成された延長部が前方に曲げ加工されることにより、背面壁１１に一体に形成されている。さらに底壁１３も両側壁１２，１２と同様に、背面壁１１の下縁部から下方に延長形成された延長部が前方に曲げ加工されることにより、背面壁１１に一体に形成されている。
【００２８】
両側壁１２，１２は、その下端縁における後半部が水平に形成されるとともに、前半部が前方に向かうに従って上方に位置する斜め上向きに形成されている。さらに底壁１３は、両側壁１２の下端縁に沿うように、後半部が水平に形成されるとともに、前半部が前方に向かうに従って上方に位置する斜め上向きに形成されている。換言すると、底壁１３の前部は、後部よりも上方に配置されており、図５Ａ等に示すように前部の下側に、部位が存在しない干渉防止スペース（空間部）１５が形成されている。
【００２９】
なお、両側壁１２，１２の下端縁と、底壁１３の両側縁部との間には隙間１４が形成されている。
【００３０】
両側壁１２，１２には、その前縁の上部から後縁の高さ方向中間部にかけてガイド用スリット１６，１６がそれぞれ形成されている。このガイド用スリット１６，１６は、後方に向かって斜め下向きの方向に直線状に延びるように形成されている。さらにガイド用スリット１６，１６における前側上部の端部（一端）は前方に向かって斜め上方に開放されるとともに、後側下部の端部（他端）は閉塞されている。
【００３１】
ここで、本実施形態においては、ケーシング１の前面から上面にかけての部分が開放されているが、この開放部のうち、ガイド用スリット１６の前端よりも上側の開放部が、レジ袋取出口１０として構成されるとともに、ガイド用スリット１６の前端よりも下側の開放部が前面開口部２０として構成されている。
【００３２】
またケーシング１の上端部のやや前寄りの位置におけるレジ袋取出口１０の近傍には、レジ袋掛止棒４が左右方向に沿って水平に配置されている。このレジ袋掛止棒４は、その両端部がケーシング１の両側壁１２に固定されることによって、両側壁１２間に架け渡されるように配置されている。本実施形態において、このレジ袋掛止棒４は金属製のパイプによって構成されている。
【００３３】
本実施形態において、レジ袋掛止棒４には、後に詳述するように多数のレジ袋９１を掛止して保持できるようになっている。
【００３４】
また図５Ａ〜図５Ｃに示すようにケーシング１の背面壁における背面側（後面側）の上下両側の４箇所には、後方に突出し、かつ下方に屈曲する鉤状の取付フック１９が固定されており、後述するようにこの取付フック１９を介して、レジ袋スタンド５に着脱自在に取り付けることができるようになっている。
【００３５】
ガイド用スリット１６には、レジ袋押付手段として機能する棒状ないしパイプ状のウエイト部材３が取り付けられる。このウエイト部材３は、所定の重量を有する金属製のパイプ（ウエイト本体）３１と、そのパイプ３１の両端に取り付けられた軸具３２とを備えている。
【００３６】
このウエイト部材３の両端における軸具３２，３２が、ケーシング１の両側におけるガイド用スリット１６，１６にその一端開放部から挿入されることにより、ウエイト部材３がガイド用スリット１６の長さ方向に沿ってスライド自在に取り付けられる。換言すると、ウエイト部材３は、ケーシング１内において後方に向けて斜め下向きの方向に沿ってスライド自在に取り付けられている。
【００３７】
なお本実施形態においては、ウエイト部材３の軸具３２は、スライド移動がスムーズに行われるように円形断面に形成しておいても良い。
【００３８】
前扉２は、鏡面仕上げされたスチール板によって構成されており、ケーシング１の前面開口部２０に適合配置できるように前面開口部２０の形状に対応して形成されている。前扉２の両側縁部には、その両側縁部が裏面側に折り返されるようにして縁曲げ部２１が形成されており、その両側縁曲げ部２１の下端部がケーシング１の両側壁の下部前端に回転自在にそれぞれ取り付けられている。これにより、図５Ｃに示すように前扉２を手前（前方）に引き込んで倒伏させることによって、前面開口部２０を開放させた開き状態と、図５Ａに示すように前扉２を後方に押し上げて起立させることによって、前面開口部２０を前扉２により閉塞した閉じ状態との間で開閉自在となっている。
【００３９】
前扉２の両側縁曲げ部２１の上端部には、係合孔２２が形成されている。またその係合孔２２に対応して、ケーシング１の両側壁１２の上端前縁部には、外側から前扉ロックねじ１８がねじ込まれた状態に取り付けられている。
【００４０】
そして、前扉２を押し上げてケーシング１の前面開口部２０を閉塞した際には、前扉２の係合孔２２がケーシング１の前扉ロックねじ１８に対応して配置されるようになっている。さらにその状態で、前扉ロックねじ１８をねじ込んで係合孔２２に挿入すると、前扉ロックねじ１８が係合孔２２に係合することによって、前扉２が前面開口部２０を閉塞した状態に固定（ロック）されるようになっている。またこの前扉ロック状態から前扉ロックねじ１８を緩めて係合孔２２から抜き出すと、前扉ロックねじ１８と係合孔２２との係合が解除されて前扉ロック解除状態となり、前扉２の開き操作を行えるようになっている。なお前扉ロック解除状態では、前扉ロックねじ１８の先端部をケーシング１にねじ込んで前扉ロックねじ１８をケーシング１に保持しておくことによって、前扉ロックねじ１８が脱落してしまうような不具合を防止することができる。
【００４１】
また前扉２にはその裏面側における上端部の両側縁部に、ケーシング１におけるガイド用スリット１６の一端開口部に対応して、抜け止め片２３が裏面側に突出するように固定されている。図５Ｃに示すようにこの抜け止め片２３は、前扉２を閉じた際に、ガイド用スリット１６の一端開口部を閉塞するように配置される。
【００４２】
従ってこの状態、つまり前扉２を閉じた状態では、ガイド用スリット１６にスライド自在に挿入されるウエイト部材３が抜け止め片２３に係合することによって、ウエイト部材３がガイド用スリット１６の一端開口部から不用意に抜け出して脱落してしまうのを防止することができる。なお言うまでもなく、前扉２を開いた状態では、ガイド用スリット１６の一端開口部が開放されるため、その前端開口部を介して、ウエイト部材３をガイド用スリット１６から取り外すことができるようになっている。
【００４３】
また前扉２はその表面（前面）側に、着脱自在にアクリル板等からなる透明板２６が着脱自在に取り付けられており、その透明板２６と扉板２との間に、各種の情報を表示した紙やプラスチックフィルム等の情報表示手段を挟持できるようになっている。従ってその情報表示手段によって、前扉２の前面に広告等を表示できるようになっている。つまり本実施形態においては、前扉２の前面を情報表示スペース２５として用いることができる。
【００４４】
以上のように構成されたレジ袋ホルダーＰは、図６および図７に示すように、レジ袋スタンド５に取り付けられる。
【００４５】
このレジ袋スタンド５は、ベース板５１と、そのベース板５１に立設され、かつ互いに平行に垂直に延びる左右一対の支柱５２，５２と、一対の支柱５２，５２間に架橋され、かつ上下方向に適宜間隔をおいて配置される複数のホルダー掛止棒５３とを備えている。
【００４６】
このレジ袋スタンド５に本実施形態のレジ袋ホルダーＰが取り付けられる。すなわちレジ袋ホルダーＰの裏面に取り付けられた取付フック１９を、レジ袋スタンド５の適当なホルダー掛止棒５３に掛止することによってレジ袋ホルダーＰをレジ袋スタンド５に固定する。本実施形態においては、レジ袋スタンド５にレジ袋ホルダーＰを上下方向に所定間隔おきに複数配置するようにしている。
【００４７】
一方図３に示すように、本実施形態のレジ袋ホルダーＰにおいて、レジ袋９１を保持させるには、レジ袋ホルダーＰの前扉２を開いて、前面開口部２０を開放させておく。さらにウエイト部材３をケーシング１のガイド用スリット１６から抜き出して取り外しておく。
【００４８】
続いて多数枚のレジ袋９１が重ね合わされたレジ袋群９を、その上側半部を下側半部に対向させるように前方に折り曲げて２つ折りの状態とする。その２つ折りのレジ袋群９を、ケーシング１内にそのレジ袋取出口１０および前面開口部２０を介して収容しつつ、２つ折りのレジ袋群９の折り曲げ部内側をケーシング１のレジ袋掛止棒４に引っ掛ける。この状態では、ケーシング１内において、レジ袋群９の上側半部と下側半部とが前後に対向するように配置され、上側半部が前面側（表面側）に配置されるとともに、下側半部が後面側（裏面側）に配置されている。なお言うまでもなく、本発明では、レジ袋群９の前後反転させて、つまり下側半部が前面側、上側半部が後面側に配置されるようにセットしても良い。
【００４９】
次に図２に示すように、ウエイト部材３の両端軸具３２をケーシング１のガイド用スリット１６の一端開放部から挿入し、ウエイト部材３をガイド用スリット１６に沿って後方ないし下方にスライドさせていき２つ折りのレジ袋群９における上側半部に押し当てる。この状態で、作業者がウエイト部材３から手を離してやれば、レジ袋群９を保持することができる。すなわち、ウエイト部材３は自重によってレジ袋群９に対し、ガイド用スリット１６に沿う方向、つまり後方やや斜め下向きの方向に押し込む力（付勢力）が作用する。この付勢力によってレジ袋群９の上側半部（表側半部）が後方に押し込まれて、レジ袋群９の上側半部と下側半部とが互いに重なり合った状態でケーシング１の背面壁１１に押し付けられる。これによりレジ袋群９はその上側半部と下側半部とが安定状態に支持されてレジ袋掛止棒４に掛止した状態で保持される。
【００５０】
その後図１に示すように、前扉２を閉じて前面開口部２０を閉塞してから、前扉ロックねじ１８をねじ込んで前扉２の係合孔２２に挿入することによって、前扉２を閉じた状態にロックする。
【００５１】
これにより本実施形態のレジ袋ホルダーＰに対するレジ袋９１のセットが完了する。
【００５２】
こうしてレジ袋９１がセットされたレジ袋ホルダーＰから、顧客（購買者）がレジ袋９１を取り出すには、レジ袋取出口１０を介してレジ袋群９の折り曲げ部において最も外側に配置されるレジ袋９１を摘んで引き上げれば、最も外側の１枚のレジ袋９１だけを抜き出すことができる。この抜き取り操作においては、レジ袋群９が２つ折りにされて、その上側半部および下側半部がウエイト部材３によってケーシング１の背面壁１１に押し付けられているため、レジ袋９１を取り出す際に、各レジ袋９１に下向きの抵抗力が付与される。その抵抗力によって、最外側（１枚目）のレジ袋９１を摘み上げた際に、そのレジ袋９１に追従して２枚目以降のレジ袋９１が引き上げらるのが防止され、１枚目のレジ袋９１が２枚目以降のレジ袋９１から確実に切り離される。従って１枚目のレジ袋９１だけを簡単かつ確実に抜き取ることができ、必要以上の余分なレジ袋９１を取り出してしまうような不具合を確実に防止することができる。
【００５３】
また本実施形態のレジ袋ホルダーＰにおいては、２つ折りのレジ袋群９をレジ袋掛止棒４に掛止して、ウエイト部材３をガイド用スリット１６に挿入するだけで簡単にレジ袋９１をセットすることができる。このように簡単な操作で確実に多数のレジ袋９１をセットでき、レジ袋９１のセット操作等の準備作業に手間取る等の不具合も確実に防止することができる。
【００５４】
なお、レジ袋９１が順次取り出されて、レジ袋９１の枚数が減少するに従って、つまり２つ折りのレジ袋群９が薄くなるに従って、ウエイト部材３がガイド用スリット１６に沿って後側下部に次第にスライドしていくことになる。そして全てのレジ袋９１が取り出されると、ウエイト部材３のパイプ（ウエイト本体）３１がケーシング１の背面壁１１に直接接触することになる（図５Ｂ参照）。
【００５５】
さらに本実施形態のレジ袋ホルダーＰにおいては、ウエイト部材３を自重によってレジ袋群９に押し付けてレジ袋群９を束ねて保持するようにしているため、構造が簡素で動作の信頼性も高く、故障等のトラブルの発生を有効に防止できるとともに、コストも削減することができる。
【００５６】
また本実施形態のレジ袋ホルダーＰにおいては、ケーシング１の前面開口部２０に開閉自在に前扉２を取り付けているため、通常時には、前扉２が閉塞されることにより、ケーシング１内が隠蔽されるとともに、全体として箱型のシンプルな外観形状となる。このため、良好な美観を得ることができ、商品価値を一層向上させることができる。
【００５７】
さらに本実施形態のレジ袋ホルダーＰにおいては、前扉２の前面を情報表示スペース２５として利用しているため、広告等の情報の表示も併用して行うことができ、汎用性を向上させることができる。
【００５８】
また本実施形態のレジ袋ホルダーＰにおいては、前扉２に抜け止め片２３を取り付けて、前扉閉塞時に抜け止め片２３によって、ガイド用スリット１６の一端開放部を閉塞するようにしているため、前扉２を閉じてレジ袋ホルダーＰをセットした状態では、ウエイト部材３がガイド用スリット１６の一端開放部から抜け出すのを防止することができる。このため例えばレジ袋９１の取出操作に伴って、ウエイト部材３が不用意に抜け出してしまうような不具合を確実に防止することができ、利便性を一層向上させることができる。
【００５９】
また本実施形態のレジ袋ホルダーＰにおいては、ケーシング１の底壁１３を、ケーシング１の背面壁１１の下端から下方に延長した下方延長部を前方に曲げ起こして形成するようにしているため、ケーシング１の底壁１３を簡単に形成することができる。
【００６０】
特に本実施形態においては、底壁１３の両側端縁と、両側壁１２の下端縁との間に隙間１４を形成しているため、ケーシング１内に入り込んだゴミや埃等の塵埃を、隙間１４を介してスムーズにケーシング１の外部に掃き出すことができる。このため、清掃作業を容易に行えて、メンテナンス作業の負担も軽減でき、長期間、安心して使用することができる。
【００６１】
しかも底壁１３と両側壁１２との間に隙間１４を形成しているため、換言すれば、底壁１３の両側端縁と、両側壁１２の下端縁とを正確に一致させる必要がないため、高い寸法精度が要求されず、ケーシング１、ひいてはレジ袋ホルダーＰの製作をより一層簡単に行うことができる。
【００６２】
また本実施形態のレジ袋ホルダーＰは、レジ袋スタンド５に並べて取り付けることができるため、複数のレジ袋ホルダーＰを設置することができ、所要数のレジ袋ホルダーＰを確実にセットすることができる。このため複数のレジ袋ホルダーＰによって、十分な量のレジ袋９１を予めセットしておくことができ、レジ袋９１の補充作業等を頻繁に行う必要がなくなり、その分、店員の作業負担を軽減させることができる。
【００６３】
さらに本実施形態のレジ袋ホルダーＰは、上下方向に並べて取り付けるとともに、ケーシング１の底壁１３の前半部を、前側に向けて上方に傾斜するように形成して、底壁１３の前端部下側に、ケーシング１の部位が存在しない干渉防止スペース１５を設けている。このため図６（ｂ）に示すように、上下に並んだレジ袋ホルダーＰのうち、下側のレジ袋ホルダーＰから購買者がレジ袋９１を取り出す際に、購買者の手が上側のレジ袋ホルダーＰの底壁１３に干渉するようなことがなく、レジ袋９１をスムーズに取り出すことができ、より一層利便性を向上させることができる。
【００６４】
ところで、上記実施形態においては、前扉１８を前扉ロックねじ１８のねじ止めによって閉塞状態にロックするようにしているが、本発明において、前扉１８を閉塞状態にロックする手段は限定されるものではない。例えば、前扉およびケーシングの一方に回転自在にフックを設けるとともに、残り一方に係合ピンを設けておき、前扉を閉じた状態でフックを係合ピンに係合することにより、前扉をロックするようにしても良いし、前扉およびケーシングの少なくとも一方にマグネット（磁石）を取り付けておき、そのマグネットの磁気吸着力によって、前扉を閉塞状態にロックするようにして良い。
【００６５】
さらに本発明においては、以下に説明するように、前扉落とし込み方式によって、前扉をロックするようにしても良い。すなわち、前扉１８の下端部におけるケーシング１との枢着部を、少なくとも前扉閉塞状態で上下方向にスライド自在に取り付けておく。例えば、前扉１８の下端部両側における縁曲げ部２１に、前扉閉塞状態（前扉起立状態）で上下方向に長い長孔を形成するとともに、その長孔に対応させて、ケーシング１の両側壁１２の下端に回転軸部材を取り付けておき、その回転軸部材を長孔に回転自在にかつスライド自在に挿入する。これにより、前扉２を開閉自在にかつ上下方向にスライド自在に支持する。一方図８に示すように、前扉２の上端部両側における縁曲げ部２１に切欠部６を形成する。この切欠部６は、前扉起立状態において、上下方向に延び、かつ下端が裏面側（後方）に開放されたＬ字状に形成されている。またケーシング１の両側壁１２に、Ｌ字状切欠部６に対応させて係合ピン６５が取り付けられている。そして、前扉１８を全閉する直前に上方にスライドさせることにより、図６（ａ）に示すように前扉１８のＬ字状切欠部６の下端開放部を、ケーシング１の係合ピン６５に対応させて配置する。その状態で同図（ｂ）に示すように、前扉１８を閉塞することによって、係合ピン６５をＬ字状切欠部６の下端開放部から挿入する。その後同図（ｃ）に示すように、前扉１８を下方に落とし込むようにスライドさせることにより、係合ピン６５をＬ字状切欠部６の上端部に位置させる。こうして前扉２を閉塞状態にロックするようにしている。
【００６６】
また上記実施形態においては、ウエイト部材３を自重によってポリ袋群９に圧接するようにしたレジ袋押付手段を採用しているが、それだけに限られず、本発明においては、ポリ袋群９を押し付けることができる構造であれば、どのようなレジ袋押付手段を採用しても良い。例えば、前扉２の裏面側に圧縮バネ等の蓄勢部材（レジ袋押付手段）を設けて、その圧縮バネの伸び方向の反発力（蓄勢力）によって、ポリ袋群９を背面側に押し付けるようにしても良い。
【００６７】
また上記実施形態においては、ウエイト部材３をガイドするための手段が、スリット１６によって構成される場合を例に挙げて説明したが、それだけに限られず、本発明においては、ウエイト部材３を所定の方向にスライド自在にガイドできる構造であれば、どのようなガイド手段を用いても良い。
【００６８】
また上記実施形態においては、レジ袋群９の２つ折りの形態として、レジ袋群９の上側半部を下側半部に対向させるような２つ折りの形態を採用しているが、それだけに限られず、本発明においては、レジ袋群９の２つ折りの形態は限定されるものではない。例えばレジ袋群９の右側半部および左側半部のうち、一半部を残り半部に対向させるような２つ折りの形態としても良いし、レジ袋群９を斜め折りで折り曲げるような２つ折り形態としても良い。
【００６９】
また上記実施形態においては、ケーシング１の前面開口２０に取り付けられる前扉２を縦開き式で開閉するようにしているが、それだけに限られず、本発明においては、前扉を横開き式で開閉するようにしても良い。
【００７０】
さらに本発明においては、前扉２を必ずしも設ける必要はない。つまり、前扉２を取り除いておき、ケーシング１の前面開口部２０を常に開放した状態となるように構成しても良い。
【００７１】
また上記実施形態においては、レジ袋ホルダーＰをレジ袋スタンド５に設置するようにしているが、それだけに限られず、本発明においては、汎用の商品陳列棚に、レジ袋ホルダーＰを設置するようにしても良い。
【００７２】
また上記実施形態においては、レジ袋ホルダーＰをレジカウンターの手前等に設置しておき、そのレジ袋ホルダーＰから顧客がレジ袋９１を取り出すようにしているが、それだけに限られず、本発明においては、レジ袋ホルダーＰを例えばレジカウンター内に設置しておき、そのレジ袋ホルダーから店員がレジ袋を取り出すようにしても良い。
【産業上の利用可能性】
【００７３】
この発明のポリ袋ホルダーは、必要に応じてレジ袋を支給するスーパーマーケット等においてレジ袋を多数保持するために用いることができる。
【符号の説明】
【００７４】
１：ケーシング
１０：レジ袋取出口
１１：背面壁
１２：側壁
１３：底壁
１４：隙間
１５：干渉防止スペース
１６：ガイド用スリット
２：前扉
２０：前面開口部
２３：抜け止め片
２５：情報表示スペース
３：ウエイト部材
４：レジ袋掛止棒
９：レジ袋群
９１：レジ袋
Ｐ：レジ袋ホルダー
【図１】
2015217972.tif 000003
【図２】
2015217972.tif 000004
【図３】
2015217972.tif 000005
【図４】
2015217972.tif 000006
【図５Ａ】
2015217972.tif 000007
【図５Ｂ】
2015217972.tif 000008
【図５Ｃ】
2015217972.tif 000009
【図６】
2015217972.tif 000010
【図７】
2015217972.tif 000011
【図８】
2015217972.tif 000012